(57)【要約】      （修正有）【課題】小型化を図りながらも増幅用光ファイバの寿命を向上させ得る光増幅部品及びファイバレーザ装置を提供する。【解決手段】光増幅部品１は、放熱板１０と、放熱板１０に一部が配置される増幅用光ファイバ２０とを備える。増幅用光ファイバ２０は、増幅用光ファイバの一端Ｅ１から、当該増幅用光ファイバ２０における一端Ｅ１及び他端Ｅ２間における途中の位置ＲＰまでのファイバ部分２０Ａが放熱板１０上に配置される。ファイバ部分２０Ａは、位置ＲＰから外側に向かって増幅用光ファイバ２０の直径未満の隙間ＩＬ１を有する状態で１周以上にわたって巻かれる内側区間ＳＣ１と、内側区間ＳＣ１よりも外側において内側区間ＳＣ１から増幅用光ファイバ２０の直径以上離される外側区間ＳＣ２とを有する。【選択図】図１
2015090909.tif 000002
【特許請求の範囲】
【請求項１】
放熱板と、前記放熱板に一部が配置される増幅用光ファイバとを備え、
前記増幅用光ファイバの一端から、前記増幅用光ファイバの一端及び他端間における途中の位置までのファイバ部分が前記放熱板上に配置され、
前記ファイバ部分は、前記位置から外側に向かって前記増幅用光ファイバの直径未満の隙間を有する状態で１周以上にわたって巻かれる内側区間と、前記内側区間よりも外側において前記内側区間から前記増幅用光ファイバの直径以上離される外側区間とを有する
ことを特徴とする光増幅部品。
【請求項２】
前記外側区間における前記増幅用光ファイバは、前記増幅用光ファイバの直径以上の隙間を有する状態で前記内側区間の周囲を１周以上にわたって巻かれる
ことを特徴とする請求項１に記載の光増幅部品。
【請求項３】
前記外側区間における前記増幅用光ファイバは、先端に向かうほど前記内側区間から離される
ことを特徴とする請求項１または請求項２に記載の光増幅部品。
【請求項４】
前記放熱板は、前記内側区間が配置される放熱部位の熱放散量よりも、前記外側区間における前記増幅用光ファイバの一端部分が配置される放熱部位の熱放散量のほうが大きい構造とされる
ことを特徴とする請求項１〜請求項３のいずれか１項に記載の光増幅部品。
【請求項５】
前記放熱板の放熱面には凹部が形成され、隣り合うファイバ間が仕切られることなく前記凹部内に前記ファイバ部分が配置される
ことを特徴とする請求項１〜請求項４のいずれか１項に記載の光増幅部品。
【請求項６】
請求項１〜請求項５のいずれか１項に記載の光増幅部品と、
種光源及び励起光源と、
前記種光源から出射される種光を前記増幅用光ファイバの一端におけるコアに入射するとともに、前記励起光源から出射される励起光を前記増幅用光ファイバの一端におけるクラッドに入射する光カプラと
を備えることを特徴とするファイバレーザ装置。
【請求項７】
請求項１〜請求項５のいずれか１項に記載の光増幅部品と、
励起光源と、
前記励起光源から出射される励起光を前記増幅用光ファイバの一端におけるクラッドに入射する光カプラと、
前記増幅用光ファイバのコアに添加される活性元素が放出する光の少なくとも一部を反射する第１ミラーと、
前記第１ミラーが反射する光を前記第１ミラーよりも低い反射率で反射する第２ミラーと
を備えることを特徴とするファイバレーザ装置。
【発明の詳細な説明】
【技術分野】
【０００１】
本発明は光増幅部品及びファイバレーザ装置に関し、増幅用光ファイバを放熱させる場合に好適なものである。
【背景技術】
【０００２】
増幅用光ファイバを伝搬する励起光の一部は、当該増幅用光ファイバにおける伝送損失により熱に変わる。また、増幅用光ファイバのコアに添加される活性元素が励起光によって励起され、当該活性元素から光が放出される場合にも熱が発生する。これらの熱に基づいて増幅用光ファイバが短命となる傾向がある。この傾向は、近年におけるファイバレーザ装置の高出力化の要請に伴って高まっている。
【０００３】
下記特許文献１では、増幅用光ファイバを渦巻き状に巻いた状態で放熱板に配置する技術が開示されている。
【先行技術文献】
【特許文献】
【０００４】
【特許文献１】特開２０１０−１７７５５３
【発明の概要】
【発明が解決しようとする課題】
【０００５】
ところが、上記特許文献１の増幅用光ファイバにおいては、励起光を入射するための光ファイバと接続される端部を放熱板に配置していないため、当該端部では発熱に起因する劣化が起こり易いという課題があった。また、増幅用光ファイバの端部が放熱板に配置されると大型化する傾向がある。
【０００６】
そこで本発明は、小型化を図りながらも増幅用光ファイバの寿命を向上させ得る光増幅部品及びファイバレーザ装置を提供することを目的とする。
【課題を解決するための手段】
【０００７】
上記課題を解決するため本発明者が鋭意検討した結果、増幅用光ファイバの一端のみから励起光が入射された場合には、その一端部分における発熱量が最も大きく増幅用光ファイバの他端に近づくほど発熱量が小さい発熱量分布となることが見出された。
【０００８】
したがって、このような発熱量分布となる増幅用光ファイバを放熱板にどのようにして配置するのかといったことが新たに課題となり、当該課題に対してさらに本発明者が鋭意検討して本発明に至った。
【０００９】
本発明の光増幅部品は、放熱板と、前記放熱板に一部が配置される増幅用光ファイバとを備え、前記増幅用光ファイバの一端から、前記増幅用光ファイバの一端及び他端間における途中の位置までのファイバ部分が前記放熱板上に配置され、前記ファイバ部分は、前記位置から外側に向かって前記増幅用光ファイバの直径未満の隙間を有する状態で１周以上にわたって巻かれる内側区間と、前記内側区間よりも外側において前記内側区間から前記増幅用光ファイバの直径以上離される外側区間とを有することを特徴とする。
【００１０】
このようにした場合、放熱板上に配置されるファイバ部分のうち、当該増幅用光ファイバにおいて最も発熱量が高くなる一端部分を、その一端部分の内側で１周以上にわたって巻かれる内側区間から遠ざけることができる。したがって、増幅用光ファイバの一端部分で発生する熱に起因して増幅用光ファイバが劣化することを格段に低減することができる。
また、内側区間の増幅用光ファイバは、当該増幅用光ファイバの直径未満の隙間を有する状態で１周以上にわたって巻かれた状態にあるため、当該状態で巻かない場合に比べて小型化を図ることができる。
こうして、小型化を図りながらも増幅用光ファイバの寿命を向上させ得る光増幅部品が実現される。
【００１１】
また、前記外側区間における前記増幅用光ファイバは、前記増幅用光ファイバの直径以上の隙間を有する状態で前記内側区間の周囲を１周以上にわたって巻かれることが好ましい。
【００１２】
このようにした場合、外側区間において隣り合う増幅用光ファイバを、内側区間において隣り合う増幅用光ファイバよりも離した状態で、当該増幅用光ファイバにおいて最も発熱量が高くなる一端部分を最も外側に位置させることができる。したがって、増幅用光ファイバの一端部分で発生する熱に起因して増幅用光ファイバが劣化することをより一段と低減することができる。
また、外側区間における増幅用光ファイバが巻かれていない場合に比べてより一段と小型化を図ることができる。
さらに、外側区間の増幅用光ファイバは、増幅用光ファイバの直径以上の隙間を有する状態で巻かれるため、当該隙間を有していない場合に比べて放熱板上に配置すべき位置の調整がし易い。したがって、内側区間の増幅用光ファイバの巻く間隔を増幅用光ファイバの直径未満に維持しながら、当該増幅用光ファイバを比較的簡易に放熱板上に配置することができる。
【００１３】
また、前記外側区間における前記増幅用光ファイバは、先端に向かうほど前記内側区間から離されることが好ましい。
【００１４】
このようにした場合、増幅用光ファイバにおいて最も発熱量が高くなる一端部分を、内側区間のみならず、当該一端部分近傍にある増幅用光ファイバからも遠ざけることができる。したがって、増幅用光ファイバの一端部分で発生する熱に起因して増幅用光ファイバが劣化することをより一段と低減することができる。
【００１５】
また、前記放熱板は、前記内側区間が配置される放熱部位の熱放散量よりも、前記外側区間における前記増幅用光ファイバの一端部分が配置される放熱部位の熱放散量のほうが大きい構造とされることが好ましい。
【００１６】
このようにした場合、増幅用光ファイバにおいて最も発熱量が高くなる一端部分を重点的に冷却させることができる。したがって、増幅用光ファイバの一端部分で発生する熱に起因して増幅用光ファイバが劣化することをより一段と低減することができる。
【００１７】
また、前記放熱板の放熱面には凹部が形成され、隣り合うファイバ間が仕切られることなく前記凹部内に前記ファイバ部分が配置される。
【００１８】
このようにした場合、ファイバ部分が凹部内に配置されていない場合に比べて外部からファイバ部分に応力が加わることを抑制できる。また、隣り合うファイバ間が仕切られる場合に比べて増幅用光ファイバを配置するスペースの制約が緩和されるため、当該凹部内に配置すべきファイバ部分の位置の調整がし易くなる。
【００１９】
また、本発明のファイバレーザ装置は、上記に記載の光増幅部品と、種光源及び励起光源と、前記種光源から出射される種光を前記増幅用光ファイバの一端におけるコアに入射するとともに、前記励起光源から出射される励起光を前記増幅用光ファイバの一端におけるクラッドに入射する光カプラとを備えることを特徴とする。
【００２０】
あるいは、上記に記載の光増幅部品と、励起光源と、前記励起光源から出射される励起光を前記増幅用光ファイバの一端におけるクラッドに入射する光カプラと、前記増幅用光ファイバのコアに添加される活性元素が放出する光の少なくとも一部を反射する第１ミラーと、前記第１ミラーが反射する光を前記第１ミラーよりも低い反射率で反射する第２ミラーとを備えることを特徴とする。
【００２１】
このようなファイバレーザ装置は、その構成要素の一部として上記光増幅部品が備えられているため、当該光増幅部品を備えていない場合に比べて増幅用光ファイバの一端部分で発生する熱に起因して増幅用光ファイバが劣化することを格段に低減することができる。また、上記光増幅部品を備えていない場合に比べて小型化を図ることができる。こうして、小型化を図りながらも増幅用光ファイバの寿命を向上させ得るファイバレーザ装置が実現される。
【発明の効果】
【００２２】
以上のように本発明によれば、小型化を図りながらも増幅用光ファイバの寿命を向上させ得る光増幅部品及びファイバレーザ装置を提供することができる。
【図面の簡単な説明】
【００２３】
【図１】第１実施形態における光増幅部品を示す図である。
【図２】増幅用光ファイバの長さ方向に直交するファイバ断面の様子を示す図である。
【図３】図１のＸ−Ｘを通る断面を示す図である。
【図４】増幅用光ファイバの一端から励起光が入射された場合における増幅用光ファイバの発熱量分布を示す図である。
【図５】第２実施形態における光増幅部品を示す図である。
【図６】第３実施形態における光増幅部品を示す図である。
【図７】放熱板の他の構造例（１）を示す図である。
【図８】放熱板の他の構造例（２）を示す図である。
【図９】第４実施形態におけるファイバレーザ装置を示す図である。
【図１０】第５実施形態におけるファイバレーザ装置を示す図である。
【発明を実施するための形態】
【００２４】
以下、発明を実施するための形態について図面を用いながら詳細に説明する。
【００２５】
（１）第１実施形態
図１は、第１実施形態における光増幅部品１を示す図である。図１に示すように、本実施形態の光増幅部品１は、放熱板１０と、当該放熱板１０の放熱面に固定される増幅用光ファイバ２０とを主な構成要素として備える。
【００２６】
放熱板１０は、熱を放散して温度を下げるための板材である。この放熱板１０の材料は銀、銅、金、アルミニウムなどの金属もしくは合金とされ、放熱板１０の形状は例えば直方体形状とされる。
【００２７】
図２は、増幅用光ファイバ２０の長さ方向に直交するファイバ断面の様子を示す図である。図２に示すように、増幅用光ファイバ２０は、１種類以上の活性元素が添加されるコア２１と、コア２１の外周面を被覆する第１クラッド２２と、第１クラッド２２の外周面を被覆する第２クラッド２３と、当該第２クラッド２３を囲む被覆層２４とを有する構造でなる。
【００２８】
コア２１の屈折率は第１クラッド２２の屈折率よりも高くされ、第１クラッド２２の屈折率は第２クラッド２３の屈折率よりも高くされ、第２クラッド２３の屈折率は被覆層２４の屈折率よりも低くされる。
【００２９】
なお、活性元素としては、例えば、エルビウム(Ｅｒ)、イッテルビウム（Ｙｂ）あるいはネオジウム（Ｎｄ）等の希土類元素があり、希土類元素以外の活性元素としては、例えば、ビスマス（Ｂｉ）がある。
【００３０】
このような構造でなる増幅用光ファイバ２０の一部は放熱板１０上に配置される。すなわち、図１に示したように、増幅用光ファイバ２０の一端Ｅ１から、当該増幅用光ファイバ２０の一端Ｅ１及び他端Ｅ２間における途中の位置（以下、途中位置という）ＲＰまでのファイバ部分２０Ａが放熱板１０上に配置される。
【００３１】
途中位置ＲＰは、放熱板１０から離し始めるべき位置であり、任意に決められる。例えば、増幅用光ファイバ２０における長さ方向の中心が途中位置ＲＰとして決められても良く、当該中心から一端Ｅ１又は他端Ｅ２側へずれた位置が途中位置ＲＰとして決められても良い。
【００３２】
ファイバ部分２０Ａは、内側区間ＳＣ１と外側区間ＳＣ２とを有している。内側区間ＳＣ１は、途中位置ＲＰから外側に向かって増幅用光ファイバ２０の直径Ｄ未満の隙間ＩＬ１を有する状態で１周以上にわたって巻かれる。隙間ＩＬ１は、図１に示すように、内側区間ＳＣ１において隣り合う増幅用光ファイバ２０の相対向する内側外周面から外側外周面までの最短距離である。
【００３３】
なお、内側区間ＳＣ１において隣り合う増幅用光ファイバの隙間ＩＬ１が図１では同程度となっているが、当該隙間ＩＬ１は増幅用光ファイバ２０の直径Ｄ未満であれば異なっていても良い。また、内側区間ＳＣ１において隣り合う増幅用光ファイバ２０の一部又は全部が接していても良く、交差する箇所があっても良い。
【００３４】
外側区間ＳＣ２は、内側区間ＳＣ１よりも外側において内側区間ＳＣ１から増幅用光ファイバ２０の直径Ｄ以上離される。本実施形態の場合、外側区間ＳＣ２は、増幅用光ファイバ２０の直径Ｄ以上の隙間ＳＬ２を有する状態で内側区間ＳＣ１の周囲を１周以上にわたって巻かれている。隙間ＩＬ２は、図１に示すように、外側区間ＳＣ２において隣り合う増幅用光ファイバ２０の相対向する内側外周面から外側外周面までの最短距離である。
【００３５】
なお、外側区間ＳＣ２において隣り合う増幅用光ファイバの隙間ＩＬ２が図１では同程度となっているが、当該隙間ＩＬ２は増幅用光ファイバ２０の直径Ｄ以上であれば異なっていても良い。
【００３６】
また、外側区間ＳＣ２において増幅用光ファイバ２０の一端Ｅ１を含む近傍部分が図１では巻かれておらず直線状に配置されているが、当該近傍部分が巻かれていても良い。さらに、外側区間ＳＣ２の増幅用光ファイバ２０が内側区間ＳＣ１よりも外側において増幅用光ファイバ２０の直径Ｄ以上離されていれば、当該外側区間ＳＣ２の増幅用光ファイバ２０全体が巻かれていなくても良い。
【００３７】
一方、途中位置ＲＰから増幅用光ファイバの他端Ｅ２に至るまでのファイバ部分２０Ｂにおいては、放熱板１０の放熱面上に配置されず、当該増幅用光ファイバの他端Ｅ２は放熱板１０の外部に配置される。例えば、内側区間ＳＣ１及び外側区間ＳＣ２の上方を経由した後に外部の光学部品に延在するようにファイバ部分２０Ｂが配置される。
【００３８】
図３は、図１のＸ−Ｘを通る断面を示す図である。なお、図３では、便宜上、増幅用光ファイバ２０の断面は簡略して示している。図３に示すように、放熱板１０の放熱面における中央部位及び周縁部位以外の部位には、凹部ＣＰが形成される。
【００３９】
ファイバ部分２０Ａは、この凹部ＣＰ内に、隣り合うファイバ間が仕切られることなく配置される。すなわち、凹部ＣＰの底面は平坦とされ、この底面上に、ファイバ部分２０Ａが内側区間ＳＣ１及び外側区間ＳＣ２を有する状態で載置される。
【００４０】
このような光増幅部品１では、増幅用光ファイバ２０の一端Ｅ１における第１クラッド２２の端面が、励起光を入射すべき端面とされる。
【００４１】
第１クラッド２２の端面から励起光が入射された場合、当該励起光は増幅用光ファイバ２０における第１クラッド２２及びコア２１を伝搬する。このとき、励起光によってコア２１に添加される活性元素が励起され、当該活性元素から特定の波長の光が放出される。
【００４２】
図４は、増幅用光ファイバ２０の一端Ｅ１から励起光が入射された場合における増幅用光ファイバ２０の発熱量分布を示す図である。図４に示すように、増幅用光ファイバ２０の一端Ｅ１から励起光が入射された場合、その一端部分における発熱量が最も大きく増幅用光ファイバ２０の他端に近づくほど発熱量が小さい発熱量分布となることが分かる。
【００４３】
このような発熱量分布となる理由は、通常、増幅用光ファイバ２０の各場所での発熱はその部分を通過する励起光のエネルギー量に比例するからである。
【００４４】
すなわち、増幅用光ファイバ２０の発熱は増幅用光ファイバ２０のぞれぞれの場所で励起光の一部が増幅用光ファイバ２０の伝送損失により熱に変わるために発生する。したがって発熱量はその位置での伝送損失と励起光のエネルギー量の積におおむね比例する。増幅用光ファイバ２０の伝送損失はどの場所でもほぼ一定であるので、励起光のエネルギー量が多い場所ほど増幅用光ファイバ２０の発熱量が多い。
【００４５】
本実施形態の場合、増幅用光ファイバ２０の一端Ｅ１における第１クラッド２２の端面が、励起光を入射すべき端面とされるので、その一端部分における励起光のエネルギー量が最も多くなる。その後、励起光は増幅用光ファイバ２０を他端Ｅ２に向かって伝搬していくが、その際に増幅用光ファイバ２０の伝送損失により励起光のエネルギーの一部が熱に変わるためにエネルギー量が徐々に低下していく。増幅用光ファイバ２０の伝送損失は通常の通信用光ファイバに比べて格段に大きいために励起光の伝搬によるエネルギー量の低下も格段に大きい。そのため増幅用光ファイバ２０の一端部分と他端部分とでの発熱量の差は大きいものとなる。
【００４６】
上述したように、本実施形態の光増幅部品１では、増幅用光ファイバ２０において励起光を入射すべき一端Ｅ１を含むファイバ部分２０Ａが放熱板１０に配置される。このファイバ部分２０Ａの内側区間ＳＣ１は、途中位置ＲＰから外側に向かって増幅用光ファイバ２０の直径Ｄ未満の隙間ＩＬ１を有する状態で１周以上にわたって巻かれる。一方、ファイバ部分２０Ａの外側区間ＳＣ２は、内側区間ＳＣ１よりも外側において内側区間ＳＣ１から増幅用光ファイバ２０の直径Ｄ以上離される。
【００４７】
このため、本実施形態における光増幅部品１は、放熱板１０上に配置されるファイバ部分２０Ａのうち最も発熱量が高くなる一端部分を、その一端部分の内側で１周以上にわたって巻かれる内側区間ＳＣ１から遠ざけることができる。したがって、増幅用光ファイバ２０の一端部分で発生する熱に起因して増幅用光ファイバ２０が劣化することを格段に低減することができる。
【００４８】
また、内側区間ＳＣ１の増幅用光ファイバ２０は、増幅用光ファイバ２０の直径Ｄ未満の隙間ＩＬ１を有する状態で１周以上にわたって巻かれた状態にあるため、当該状態で巻かない場合に比べて小型化を図ることができる。
【００４９】
ところで、本実施形態における外側区間ＳＣ２は、増幅用光ファイバ２０の直径Ｄ以上の隙間ＳＬ２を有する状態で内側区間ＳＣ１の周囲を１周以上にわたって巻かれている。
【００５０】
このため、外側区間ＳＣ２において隣り合う増幅用光ファイバを、内側区間ＳＣ１において隣り合う増幅用光ファイバよりも離した状態で、当該増幅用光ファイバ２０において最も発熱量が高くなる一端部分を最も外側に位置させることができる。したがって、増幅用光ファイバ２０の一端部分で発生する熱に起因して増幅用光ファイバ２０が劣化することをより一段と低減することができる。また、外側区間ＳＣ２における増幅用光ファイバ２０が巻かれていない場合に比べてより一段と小型化を図ることができる。
【００５１】
これに加えて、外側区間ＳＣ２の増幅用光ファイバ２０は、増幅用光ファイバ２０の直径Ｄ以上の隙間ＳＬ２を有する状態で巻かれるため、当該隙間ＳＬ２を有していない場合に比べて放熱板１０上に配置すべき位置の調整がし易い。したがって、内側区間ＳＣ１の増幅用光ファイバ２０の巻く間隔を増幅用光ファイバの直径Ｄ未満に維持しながら、当該増幅用光ファイバ２０を比較的簡易に放熱板１０上に配置することができる。
【００５２】
また、本実施形態における放熱板１０の放熱面には凹部ＣＰが形成され、隣り合うファイバ間が仕切られることなく凹部ＣＰ内にファイバ部分２０Ａが配置される。
【００５３】
このため、ファイバ部分２０Ａが凹部ＣＰ内に配置されていない場合に比べて外部からファイバ部分２０Ａに応力が加わることを抑制できる。また、隣り合うファイバ間が仕切られる場合に比べてファイバ部分２０Ａを配置するスペースの制約が緩和されるため、凹部ＣＰ内に配置すべきファイバ部分２０Ａの位置の調整がし易くなる。
【００５４】
（２）第２実施形態
次に、第２実施形態について図面を用いながら詳細に説明する。なお、第１実施形態と同一又は同等の構成要素については、特に説明する場合を除き、同一の参照符号を付して重複する説明は省略する。
【００５５】
図５は、第２実施形態における光増幅部品２を示す図である。図５に示すように、本実施形態における光増幅部品２では、増幅用光ファイバ２０における外側区間ＳＣ２の配置態様のみが第１実施形態と相違している。
【００５６】
具体的に本実施形態における外側区間ＳＣ２の増幅用光ファイバ２０は、先端に向かうほど内側区間ＳＣ１から離されている。すなわち、外側区間ＳＣ２において隣り合う増幅用光ファイバの隙間ＩＬ２は、先端に向かうほど徐々に広がっている。
【００５７】
このような光増幅部品２によれば、増幅用光ファイバ２０において最も発熱量が高くなる一端部分を、内側区間ＳＣ１のみならず、当該一端部分近傍にある増幅用光ファイバ２０からも遠ざけることができる。したがって、増幅用光ファイバ２０の一端部分で発生する熱に起因して増幅用光ファイバ２０が劣化することをより一段と低減することができる。
【００５８】
（３）第３実施形態
次に、第３実施形態について図面を用いながら詳細に説明する。なお、上記実施形態と同一又は同等の構成要素については、特に説明する場合を除き、同一の参照符号を付して重複する説明は省略する。
【００５９】
図６は、第３実施形態における光増幅部品３を示す図である。図６に示すように、本実施形態における光増幅部品３は、第１実施形態における放熱板１０に代えて、当該放熱板１０とは異なる構造の放熱板１１を備えている。
【００６０】
具体的に本実施形態における放熱板３０は、内側区間ＳＣ１が配置される第１部位の熱放散量よりも、外側区間ＳＣ２における増幅用光ファイバ２０の一端Ｅ１部分が配置される第２部位ＰＡ熱放散量のほうが大きい構造とされる。
【００６１】
例えば、第１部位がアルミニウムを用いて形成され、第２部位ＰＡがアルミニウムよりも熱抵抗が小さい銅を用いて形成された場合、第１部位の熱放散量よりも第２部位ＰＡの熱放散量が大きくなる。
【００６２】
また例えば、第１部位及び第２部位ＰＡの放熱面とは逆側の表面部分にフィンと呼ばれる凸部が形成され、当該第２部位ＰＡの凸部の長さが第１部位の凸部の長さよりも大きくされた場合、第１部位の熱放散量よりも第２部位ＰＡの熱放散量が大きくなる。
【００６３】
また例えば、第２部位ＰＡに対してのみ、空冷式、水冷式又は電子冷却式の冷却機構が設けられた場合、第１部位の熱放散量よりも第２部位ＰＡの熱放散量が大きくなる。
【００６４】
このような光増幅部品３によれば、増幅用光ファイバ２０において最も発熱量が高くなる一端部分を重点的に冷却させることができる。したがって、増幅用光ファイバ２０の一端部分で発生する熱に起因して増幅用光ファイバ２０が劣化することをより一段と低減することができる。
【００６５】
なお、第１部位の熱放散量よりも第２部位ＰＡの熱放散量が大きい構造であれば、例えば図７示す放熱板１２あるいは図８に示す放熱板１３のように、当該放熱部位ＰＡ２の範囲は問わない。また、図６〜図８に示した放熱板１１〜１３は、上記第２実施形態における放熱板１０に代えて適用可能である。
【００６６】
（４）第４実施形態
次に、第４実施形態について図面を用いながら詳細に説明する。なお、上記実施形態と同一又は同等の構成要素については、特に説明する場合を除き、同一の参照符号を付して重複する説明は省略する。
【００６７】
図９は、第４実施形態におけるファイバレーザ装置を示す図である。図９に示すように、本実施形態におけるファイバレーザ装置１００は、ＭＯ−ＰＡ（Master Oscillator Power
Amplifier）型のファイバレーザ装置である。
【００６８】
このファイバレーザ装置１００は、第１実施形態における光増幅部品１と、種光源３１と、複数の励起光源３２と、光カプラ３３とを主な構成として備える。なお、図９に示す光増幅部品１は、図１に示した場合と異なり、簡略的に示している。
【００６９】
種光源３１は、種光を出射するものであり、例えば、レーザダイオードから成るレーザ光源や、ファブリペロー型やファイバリング型のレーザ光源などとされる。
【００７０】
複数の励起光源３２は、励起光を出射するものであり、例えばレーザダイオード（Laser Diode）などとされる。
【００７１】
光カプラ３３は、種光源３１から出射される種光を増幅用光ファイバ２０の一端Ｅ１におけるコア端面から入射させるとともに、励起光源３２から出射される励起光を増幅用光ファイバ２０の一端Ｅ１における第１クラッド端面から入射させるものである。
【００７２】
なお、本実施形態の場合、種光源３１から出射される種光は、入射用光ファイバ４０を介して光カプラ３３に入射される。この入射用光ファイバ４０は、例えばシングルモードファイバとされ、当該入射用光ファイバ４０の一端側のコアと種光源３１とは光学的に結合されるとともに、入射用光ファイバ４０の他端側のコアと増幅用光ファイバ２０の一端Ｅ１側のコア２１とは光カプラ３３を介して光学的に結合される。
【００７３】
また、励起光源３２から出射される励起光は、励起光入射用ファイバ５０を介して光カプラ３３に入射される。この励起光入射用ファイバ５０は、例えばマルチモードファイバとされ、当該励起光入射用ファイバ５０の本数は、励起光源３２の数と同じとされる。各励起光入射用ファイバ５０の一端側のコアにつき１つの励起光源３２が光学的に結合されるとともに、当該励起光入射用ファイバ５０の他端側のコアと増幅用光ファイバ２０の一端Ｅ１側の第１クラッド２２とは光カプラ３３を介して光学的に結合される。
【００７４】
また、増幅用光ファイバ２０の他端Ｅ２には出力用光ファイバ７０が接続される。この出力用光ファイバ７０は、例えばシングルモードファイバとされ、当該出力用光ファイバ７０の一端側のコア端面と増幅用光ファイバ２０の他端Ｅ２側のコア端面とが融着される。
【００７５】
本実施形態におけるファイバレーザ装置１００では、増幅用光ファイバ２０の一端Ｅ１側のコア端面から種光が入射された場合、当該種光は増幅用光ファイバ２０の一端Ｅ１から他端Ｅ２に向けてコア２１を伝搬する。
【００７６】
一方、増幅用光ファイバ２０の一端Ｅ１側の第１クラッド端面から励起光が入射された場合、当該励起光は増幅用光ファイバ２０の一端Ｅ１から他端Ｅ２に向けて第１クラッド２２及びコア２１を伝搬する。
【００７７】
第１クラッド２２及びコア２１を伝搬する励起光によってコア２１に添加される活性元素が励起され、当該励起状態にある活性元素は、コア２１を伝搬する種光によって誘導放出を引き起こす。この誘導放出に起因して種光が増幅され、当該増幅された種光は増幅用光ファイバ２０の他端Ｅ２から出力用光ファイバ７０に出力される。
【００７８】
このようなファイバレーザ装置１００は、その構成要素の一部として上記第１実施形態の光増幅部品１を備えている。このため、本実施形態のファイバレーザ装置１００は、光増幅部品１を備えていない場合に比べて増幅用光ファイバの一端部分で発生する熱に起因して増幅用光ファイバが劣化することを格段に低減することができる。また、本実施形態のファイバレーザ装置１００は、光増幅部品１を備えていない場合に比べて小型化を図ることができる。
【００７９】
なお、本実施形態におけるファイバレーザ装置１００では、光増幅部品１に代えて、第２実施形態の光増幅部品２又は第３実施形態の光増幅部品３が適用されても良い。光増幅部品２又は光増幅部品３が適用されて場合であっても、増幅用光ファイバの一端部分で発生する熱に起因して増幅用光ファイバが劣化することを低減でき、また小型化を図ることができる。
【００８０】
（５）第５実施形態
次に、第５実施形態について図面を用いながら詳細に説明する。なお、上記実施形態と同一又は同等の構成要素については、特に説明する場合を除き、同一の参照符号を付して重複する説明は省略する。
【００８１】
図１０は、第５実施形態におけるファイバレーザ装置を示す図である。図１０に示すように、本実施形態におけるファイバレーザ装置１１０は、共振型のファイバレーザ装置である。
【００８２】
このファイバレーザ装置１１０は、第１実施形態における光増幅部品１と、複数の励起光源３２と、光カプラ３３と、第１ミラーとしての第１ＦＢＧ（Fiber Bragg Grating）３６及び第２ミラーとしての第２ＦＢＧ３７とを主な構成として備える。なお、図１０に示す光増幅部品１は、図１に示した場合と異なり、簡略的に示している。
【００８３】
第１ＦＢＧ３６は、入射用光ファイバ４０に設けられており、増幅用光ファイバ２０の長手方向に沿って一定の周期で高屈折率の部分を繰り返す構造でなる。この第１ＦＢＧ３６は、励起状態とされた増幅用光ファイバ２０の活性元素が放出する光の少なくとも一部の波長の光を反射するよう調整される。
【００８４】
第２ＦＢＧ３７は、出力用光ファイバ７０に設けられており、増幅用光ファイバ２０の長手方向に沿って一定の周期で高屈折率の部分を繰り返す構造でなる。この第２ＦＢＧ３７は、第１ＦＢＧ３６が反射する光と同じ波長の光を第１ＦＢＧ３６よりも低い反射率で反射するよう調整される。
【００８５】
本実施形態におけるファイバレーザ装置１１０では、増幅用光ファイバ２０における第１クラッド２２に入射した励起光は、当該増幅用光ファイバ２０における第１クラッド２２及びコア２１を伝搬し、当該励起光によってコア２１に添加される活性元素が励起され、当該活性元素から特定の波長の光が放出される。
【００８６】
この光は、増幅用光ファイバ２０のコア２１を伝搬し、特定波長の光が第１ＦＢＧ３６と第２ＦＢＧ３７との間を往来するとともに増幅され、増幅された光の一部が第２ＦＢＧ３７を透過して増幅用光ファイバ２０の出力端から出力用光ファイバ７０に出射される。
【００８７】
このようなファイバレーザ装置１１０は、その構成要素の一部として第１実施形態の光増幅部品１を備えている。このため、本実施形態のファイバレーザ装置１１０は、ファイバレーザ装置１００と同様に、増幅用光ファイバの一端部分で発生する熱に起因して増幅用光ファイバが劣化することを格段に低減することができる。また、本実施形態のファイバレーザ装置１１０は、光増幅部品１のいずれかを備えていない場合に比べて小型化を図ることができる。
【００８８】
なお、本実施形態におけるファイバレーザ装置１１０では、光増幅部品１に代えて、第２実施形態の光増幅部品２又は第３実施形態の光増幅部品３が適用されても良い。光増幅部品２又は光増幅部品３が適用されて場合であっても、増幅用光ファイバの一端部分で発生する熱に起因して増幅用光ファイバが劣化することを低減でき、また小型化を図ることができる。
【００８９】
以上、第１実施形態〜第５記実施形態が一例として説明されたが、本発明は上記実施形態に限定されるものではない。上述の光増幅部品１〜３、ファイバレーザ装置１００あるいはファイバレーザ装置１１０における各構成要素は、上記実施形態に示された内容以外に、適宜、本願目的を逸脱しない範囲で組み合わせ、省略、変更、周知技術の付加などをすることができる。
【産業上の利用可能性】
【００９０】
本発明に係る光増幅部品及びファイバレーザ装置は、増幅用光ファイバを取り扱う産業上分野において利用可能性がある。
【符号の説明】
【００９１】
１〜３・・・光増幅部品
１０〜１３・・・放熱板
２０・・・増幅用光ファイバ
２１・・・コア
２２・・・第１クラッド
２３・・・第２クラッド
２４・・・被覆層
３１・・・種光源
３２・・・第１励起光源
３３・・・第２励起光源
３４・・・入射側光カプラ
３５・・・出力側光カプラ
４０・・・入射用光ファイバ
５０・・・励起光入射用ファイバ
６０・・・励起光入射用ファイバ
７０・・・出力用光ファイバ
１００，１１０・・・ファイバレーザ装置
ＳＣ１・・・内側区間
ＳＣ２・・・外側区間
【図１】
2015090909.tif 000003
【図２】
2015090909.tif 000004
【図３】
2015090909.tif 000005
【図４】
2015090909.tif 000006
【図５】
2015090909.tif 000007
【図６】
2015090909.tif 000008
【図７】
2015090909.tif 000009
【図８】
2015090909.tif 000010
【図９】
2015090909.tif 000011
【図１０】
2015090909.tif 000012